【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
複数のマルチメディアコンテンツクリエータのうち、第１のクリエータによって作成される第１のマルチメディアコンテンツを増強する方法であって、
前記複数のクリエータをクラスタ化して、関連クリエータと呼ばれる、少なくとも２つのクリエータを備えるクラスタを確立する、クラスタ化することと、
第１のクラスタと呼ばれる、第１のクリエータを備えるクラスタの少なくとも一部の関連クリエータに、前記関連クリエータと前記第１のクリエータとの間の少なくとも１つの類似性の基準によって判定される関連性スコアを割り当てることと、
前記第１のクラスタの関連クリエータをそれらの関連性スコアに従ってランク付けすることと、
複数のマルチメディアコンテンツのうち、前記第１のマルチメディアコンテンツに関連しおよび前記第１のクラスタのランク付けされた関連クリエータによって配信される少なくとも１つの第２のマルチメディアコンテンツを選択することと、
前記第２のマルチメディアコンテンツに基づいて前記第１のマルチメディアコンテンツを増強することと、
を備える、前記方法。
【請求項２】
前記第２のマルチメディアコンテンツから、前記第１のマルチメディアコンテンツに関連する少なくとも１つの要素を抽出することをさらに備える、請求項１に記載の方法。
【請求項３】
前記抽出することは、自然言語処理に依存する、請求項２に記載の方法。
【請求項４】
前記クラスタ化することは、識別された特徴のセットに基づいてＫ平均アルゴリズムを実装する、請求項１乃至３のいずれかに記載の方法。
【請求項５】
前記選択された第２のマルチメディアコンテンツは、割り当てられた関連性スコアのうち最高の関連性スコアを有する前記第１のクラスタのランク付けされた関連クリエータによって作成される、請求項１乃至４のいずれかに記載の方法。
【請求項６】
前記第１のマルチメディアコンテンツに関連し、および少なくとも関連性の閾値に等しい関連性スコアを有する前記第１のクラスタのランク付けされた複数の関連クリエータによって配信されるいくつかの第２のマルチメディアコンテンツの選択を備える、請求項１乃至５のいずれかに記載の方法。
【請求項７】
前記類似性の基準は、距離基準である、請求項１乃至６のいずれかに記載の方法。
【請求項８】
前記第１のマルチメディアコンテンツは、テキストコンテンツである、請求項１乃至７のいずれかに記載の方法。
【請求項９】
複数のマルチメディアコンテンツクリエータのうち、第１のクリエータによって作成される第１のマルチメディアコンテンツを増強するデバイスであって、
前記複数のクリエータをクラスタ化して、関連クリエータと呼ばれる、少なくとも２つのクリエータを備えるクラスタを確立するように構成されたクラスタリングモジュールと、
第１のクラスタと呼ばれる、第１のクリエータを備えるクラスタの各関連クリエータに、前記関連クリエータと前記第１のクリエータとの間の少なくとも１つの類似性の基準によって判定される関連性スコアを割り当てるように構成された割り当てモジュールと、
第１のクラスタの関連クリエータをそれらの関連性スコアに従ってランク付けするように構成されたランク付けモジュールと、
複数のマルチメディアコンテンツのうち、第１のマルチメディアコンテンツに関連しおよび第１のクラスタのランク付けされた関連クリエータによって配信される少なくとも１つの第２のマルチメディアコンテンツを選択するように構成された選択モジュールと、
前記第２のマルチメディアコンテンツに基づいて第１のマルチメディアコンテンツを増強するように構成された増強モジュールと、
を備える、前記デバイス。
【請求項１０】
前記第２のマルチメディアコンテンツから、前記第１のマルチメディアコンテンツに関連する少なくとも１つの要素を抽出するように構成された抽出モジュールをさらに備える、請求項９に記載のデバイス。
【請求項１１】
通信ネットワークからダウンロード可能でありおよび／またはコンピュータによって読み取り可能な媒体上で記録されおよび／またはプロセッサによって実行可能であり、請求項１乃至８のうち少なくとも１つによる方法を実装するプログラムコード命令を備える、コンピュータプログラム製品。
【請求項１２】
媒体上で記録されおよびプロセッサによって実行することができ、請求項１乃至８のうち少なくとも１つによる方法を実装するプログラムコード命令を含むコンピュータプログラム製品を備える、非一過性のコンピュータ可読媒体。
【手続補正２】
【補正対象書類名】明細書
【補正対象項目名】００７０
【補正方法】変更
【補正の内容】
【００７０】
本明細書の特許請求の範囲において、指定された機能（例えば、クラスタリングモジュール１１２、割り当てモジュール１０６、ランク付けモジュール１０４、選択モジュール１３１、抽出モジュール１３３、増強モジュール１０８など）を実行する手段として表される任意の要素は、例えば、ａ）その機能を実行する回路要素（例えば、１または複数のプロセッサ）の組み合わせ、またはｂ）その機能を実行するソフトウェアを実行するために適切な回路と組み合わされた、ファームウェア、マイクロコードなどを含む任意の形態のソフトウェア、を含む機能を実行する任意のやり方を網羅することを意図する。そのような特許請求の範囲によって規定される本発明の原理は、列挙されたさまざまな手段によって提供される機能性が、特許請求が要求する方法において組み合わされて統合されるという事実にある。従って、そのような機能性を提供することができる任意の手段は、本明細書で示された機能性と同等であると見なされる。
［付記１］
複数のマルチメディアコンテンツクリエータ（２０２、２０４、２０６、２０８、２１２、２１４、２２２、２２４、２２６）のうち、第１のクリエータ（２０４）によって作成される第１のマルチメディアコンテンツを増強するための方法であって、
−  前記複数のクリエータをクラスタ化して（１００）、関連クリエータと呼ばれる、少なくとも２つのクリエータ（２０２、２０４、２０６、２０８）を備えるクラスタ（２００、２１０、２２０）を配信する、クラスタ化するステップと、
−  第１のクラスタ（２００）と呼ばれる、第１のクリエータ（２０４）を備えるクラスタの少なくとも一部の関連クリエータに、前記関連クリエータ（２０２、２０６、２０８）と前記第１のクリエータ（２０４）との間の少なくとも１つの類似性の基準によって判定される関連性スコア（２３２、２３４、２３６）を割り当てる（１１０）ステップと、
−  前記第１のクラスタ（２００）の関連クリエータ（２０２、２０６、２０８）をそれらの関連性スコアに従ってランク付けする（１２０）ステップと、
−  複数のマルチメディアコンテンツのうち、前記第１のマルチメディアコンテンツに関連しおよび前記第１のクラスタ（２００）のランク付けされた関連クリエータ（２０２、２０６、２０８）によって配信される少なくとも１つの第２のマルチメディアコンテンツを選択する（１３０）ステップと、
−  前記第２のマルチメディアコンテンツに基づいて前記第１のマルチメディアコンテンツを増強する（１５０）ステップと、
を備える、前記方法。
［付記２］
前記第２のマルチメディアコンテンツから、前記第１のマルチメディアコンテンツに関連する少なくとも１つの要素を抽出する（１４０）ステップをさらに備える、付記１に記載の方法。
［付記３］
前記抽出するステップは、自然言語処理に依存する、付記２に記載の方法。
［付記４］
前記クラスタ化するステップは、識別された特徴のセットに基づいてＫ平均アルゴリズムを実装する、付記１乃至３のいずれかに記載の方法。
［付記５］
前記選択された第２のマルチメディアコンテンツは、割り当てられた関連性スコアのうち最高の関連性スコアを有する前記第１のクラスタ（２００）のランク付けされた関連クリエータ（２０２、２０６、２０８）によって作成される、付記１乃至４のいずれかに記載の方法。
［付記６］
前記第１のマルチメディアコンテンツに関連しおよび少なくとも関連性の閾値に等しい関連性スコアを有する前記第１のクラスタ（２００）のランク付けされた関連クリエータ（２０２、２０６、２０８）によって配信されるいくつかの第２のマルチメディアコンテンツの選択を備える、付記１乃至５のいずれかに記載の方法。
［付記７］
前記類似性の基準は、距離基準である、付記１乃至６のいずれかに記載の方法。
［付記８］
前記第１のマルチメディアコンテンツは、テキストコンテンツである、付記１乃至７のいずれかに記載の方法。
［付記９］
複数のマルチメディアコンテンツクリエータ（２０２、２０４、２０６、２０８、２１２、２１４、２２２、２２４、２２６）のうち、第１のクリエータによって作成される第１のマルチメディアコンテンツを増強するためのデバイスであって、
−  前記複数のクリエータをクラスタ化して、関連クリエータと呼ばれる、少なくとも２つのクリエータ（２０２、２０４、２０６、２０８）を備えるクラスタ（２００、２１０、２２０）を配信するように構成されたクラスタリングモジュール（１１２）と、
−  第１のクラスタと呼ばれる、第１のクリエータ（２０４）を備えるクラスタ（２００）の各関連クリエータに、前記関連クリエータと前記第１のクリエータとの間の少なくとも１つの類似性の基準によって判定される関連性スコアを割り当てるように構成された割り当てモジュール（１０６）と、
−  第１のクラスタの関連クリエータをそれらの関連性スコアに従ってランク付けするように構成されたランク付けモジュール（１０４）と、
−  複数のマルチメディアコンテンツのうち、第１のマルチメディアコンテンツに関連しおよび第１のクラスタのランク付けされた関連クリエータによって配信される少なくとも１つの第２のマルチメディアコンテンツを選択するように構成された選択モジュール（１３１）と、
−  前記第２のマルチメディアコンテンツに基づいて第１のマルチメディアコンテンツを増強するように構成された増強モジュール（１０８）と、
を備える、前記デバイス。
［付記１０］
前記第２のマルチメディアコンテンツから、前記第１のマルチメディアコンテンツに関連する少なくとも１つの要素を抽出するように構成された抽出モジュール（１３３）をさらに備える、付記９に記載のデバイス。
［付記１１］
通信ネットワークからダウンロード可能でありおよび／またはコンピュータによって読み取り可能な媒体上で記録されおよび／またはプロセッサによって実行可能であり、付記１乃至８のうち少なくとも１つによる方法のステップを実装するためのプログラムコード命令を備える、コンピュータプログラム製品。
［付記１２］
媒体上で記録されおよびプロセッサによって実行することができ、付記１乃至８のうち少なくとも１つによる方法のステップを実装するためのプログラムコード命令を含むコンピュータプログラム製品を備える、非一過性のコンピュータ可読媒体。